(57)【要約】      （修正有）【課題】ソケットコネクタ内への取り付けに適し、ソケットコネクタ上にしっかりと配置されることができ、電流伝送能力を向上する端子を提供する。【解決手段】端子は、屈曲した本体１と、屈曲した本体１の２つの端部に夫々形成される２つのコンタクト部２と、屈曲した本体１の前記２つの端部間に形成され、回路基板に半田付けされるように構成される少なくとも２つの半田付け部とを備え、コンタクト部２の各々は、コンタクト部２が、プラグコネクタ２００の挿入方向にソケットコネクタ１００内を移動することを防止するように構成される位置決め部２１を備える。【選択図】図１
2015135816.tif 000002
【特許請求の範囲】
【請求項１】
ソケットコネクタへの取り付けに適する端子であって、
屈曲した本体（１）と、
前記屈曲した本体（１）の２つの端部に夫々形成される２つのコンタクト部（２）と、
前記屈曲した本体（１）の前記２つの端部間に形成され、回路基板（３００）に半田付けされるように構成される少なくとも２つの半田付け部（３）を備え、
前記コンタクト部（２）の各々は、前記コンタクト部（２）が、プラグコネクタの挿入方向（Ｘ）に前記ソケットコネクタ内を移動することを防止するように構成される位置決め部（２１）を備える端子。
【請求項２】
前記屈曲した本体（１）は、
基部（１１）と、
前記基部（１１）の両端に夫々曲げによって形成される２つの延出アームを備え、
前記コンタクト部（２）は、前記延出アーム（１２）の自由端上に夫々形成される請求項１に記載の端子。
【請求項３】
前記屈曲した本体（１）は、略Ｕ字形状を有し、
前記基部（１１）は、前記挿入方向（Ｘ）に垂直な横方向（Ｙ）に延在し、
前記２つの延出アーム（１２）は、前記基部（１１）の両端から、前記挿入方向（Ｘ）及び前記横方向（Ｙ）に略垂直な縦方向（Ｚ）に夫々延出し、
前記コンタクト部（２）は、前記延出アーム（１２）の内側に夫々形成される請求項２に記載の端子。
【請求項４】
前記位置決め部（２１）は、前記挿入方向（Ｘ）において前記コンタクト部（２）の上流側から略垂直に外方へ延出する請求項１に記載の端子。
【請求項５】
前記少なくとも２つの半田付け部（３）は、
前記基部（１１）と前記延出アーム（１２）の接続部から、前記挿入方向（Ｘ）に夫々延出する２つの第１の半田付け部（３１）と、
前記基部（１１）の両端間に位置し、前記挿入方向（Ｘ）に延出する第２の半田付け部（３２）を備える請求項４に記載の端子。
【請求項６】
前記第２の半田付け部（３２）は、平らなコンタクト部（３２１）を備える請求項５に記載の端子。
【請求項７】
前記第１の半田付け部（３１）と前記第２の半田付け部（３２）との間に、少なくとも１つの弾性保持部（３３）が形成される請求項５に記載の端子。
【請求項８】
前記端子が電力伝送用の電力端子として構成される請求項１に記載の端子。
【請求項９】
回路基板上への取り付けに適するソケットコネクタであって、
外側フレームによって画定され内部にプラグコネクタを受容するように構成される受容部（４１）を含むハウジング（４）と、
少なくとも１つの端子（１０）と
を備え、
前記端子の各々は、
前記ハウジング（４）の上部から前記外側フレームに取り付けられる本体（１）と、
前記本体（１）の２つの端部に夫々形成され、前記受容部（４１）に露出する２つのコンタクト部（２）と、
前記本体（１）の前記２つの端部間に形成され、前記ハウジング（４）の底部から延出する少なくとも２つの半田付け部とを備え、
前記コンタクト部（２）の各々は、前記コンタクト部（２）が、プラグコネクタ（２００）の挿入方向（Ｘ）に前記ソケットコネクタ（１００）の前記ハウジング（４）内を移動することを防止するように、前記外側フレームに当接されるように構成される位置決め部（２１）を備えるように設けられるソケットコネクタ。
【請求項１０】
前記本体（１）は、
前記外側フレームに取り付けられる基部（１１）と、
前記基部（１１）の両端に夫々曲げによって形成される２つの延出アーム（１２）を備え、
前記延出アーム（１２）の各々は、前記外側フレームの内側に当接し、
前記コンタクト部（２）は、前記延出アーム（１２）の自由端に夫々形成される請求項９に記載のソケットコネクタ。
【請求項１１】
前記外側フレームは、２つの横フレーム（４２）と、２つの縦フレーム（４３）と備え、
前記本体（１）は、略Ｕ字形状を有し、
前記基部（１１）は、前記挿入方向（Ｘ）に垂直な横方向（Ｙ）に延在し、前記横フレーム（４２）に取り付けられ、
前記２つの延出アーム（１２）は、前記基部（１１）の両端から、前記挿入方向（Ｘ）及び前記横方向（Ｙ）に略垂直な縦方向（Ｚ）に夫々延出し、
前記コンタクト部（２）は、前記延出アーム（１２）の内側に夫々形成される請求項９に記載のソケットコネクタ。
【請求項１２】
前記位置決め部（２１）は、前記挿入方向（Ｘ）において前記コンタクト部（２）の上流側から略垂直に外方へ延出する請求項９に記載のソケットコネクタ。
【請求項１３】
前記位置決め部（２１）は、前記縦フレーム（４３）から突出する略円弧状の断面を有するように構成される請求項１２に記載のソケットコネクタ。
【請求項１４】
前記少なくとも２つの半田付け部（３）は、
前記基部（１１）と前記延出アーム（１２）の接続部から、前記挿入方向（Ｘ）に夫々延出する２つの第１の半田付け部（３１）と、
前記基部（１１）の両端の間に位置し、前記挿入方向（Ｘ）に延在する第２の半田付け部（３２）を備える請求項１２に記載のソケットコネクタ。
【請求項１５】
前記第２の半田付け部（３２）は、平らなコンタクト部（３２１）を備え、
前記横フレーム（４２）には凹み（４２１）が形成され、
前記平らなコンタクト部（３２１）は、前記凹み（４２１）内に移動可能に構成される請求項１４に記載のソケットコネクタ。
【請求項１６】
前記第１の半田付け部（３１）と前記第２の半田付け部（３２）との間には、少なくとも１つの弾性保持部（３３）が形成され、
前記横フレーム（４２）には、内部に前記端子（１０）の前記基部（１１）を受容するためのスロット（４２２）が形成され、
前記スロット（４２２）内に、少なくとも１つの保持凹み（４２４）を備える間隔部（４２３）が形成され、
前記少なくとも１つの弾性保持部（３３）は各々前記保持凹み（４２４）の各々にスナップ方式で係合されるのに適する請求項１４に記載のソケットコネクタ。
【請求項１７】
前記ハウジング（４）の底部の中央に設けられる突出プラットフォーム（６）を更に備え、
前記突出プラットフォーム（６）の外縁と前記外側フレームの内側との間には間隙が形成される請求項９に記載のソケットコネクタ。
【請求項１８】
前記外側フレームに取り付けられる複数のデータ端子（５）を更に備える請求項１７に記載のソケットコネクタ。
【請求項１９】
前記突出プラットフォーム（６）の少なくとも１つの側には、複数のばね板（５１）が取り付けられる請求項１８に記載のソケットコネクタ。
【請求項２０】
電気コネクタアセンブリであって、
請求項９に記載のソケットコネクタ（１００）と、
前記ソケットコネクタ（１００）と嵌合するプラグコネクタ（２００）を備え、
前記プラグコネクタ（２００）は、前記ソケットコネクタ（１００）の前記端子（１０）と嵌合するのに適する相手端子（２０）を備える電気コネクタアセンブリ。
【発明の詳細な説明】
【関連出願の相互参照】
【０００１】
本出願は、中国国家知識産権局において２０１４年１月１７日に提出された中国特許出願第２０１４１００２２８９４．４号の利益を主張するものであり、その全開示は、参照によって本書に援用される。
【技術分野】
【０００２】
本発明は、電気コネクタに関し、より具体的には、ある回路基板を他の回路基板に接続するための電気コネクタ、この電気コネクタにおける端子、及びこの電気コネクタを備える電気コネクタアセンブリに関する。
【背景技術】
【０００３】
携帯電話、プリンタ、デジタルカメラ及びビデオカメラ、ＧＰＳデバイス、パネルコンピュータ、パーソナルコンピュータのような電子デバイスでは、操作上の利便性のために、２つの印刷回路基板（ＰＣＢ）は、一般的に、２つのＰＣＢ間で電力及びデータ信号を伝送するように、基板対基板コネクタによって電気的に接続される。先行技術では、かかるコネクタは、一般的に、約２Ａの小さな電流を搬送する。それにより、かかるコネクタは、大きな伝送電流を伴うモバイル通信装置に対する現在の益々急速な開発の要求を満たすことができない。
【発明の概要】
【発明が解決しようとする課題】
【０００４】
本発明は、上述の欠点の少なくとも一部を克服又は軽減するために成されたものである。
【課題を解決するための手段】
【０００５】
端子、この端子を備えるソケットコネクタ、及びこのソケットコネクタを備える電気コネクタアセンブリを提供することが有益であり、端子のコンタクト部が、端子に設けられる位置決め部によってソケットコネクタに堅固に配置される。それにより、端子の電流伝送能力が向上され、端子は、大電流を伝送することができる。
【０００６】
本発明の一態様によれば、ソケットコネクタへの取り付けに適した端子であって、屈曲した本体と、前記屈曲した本体の２つの端部に夫々形成される２つのコンタクト部と、前記屈曲した本体の前記２つの端部間に形成され、回路基板に半田付けされるように構成される少なくとも２つの半田付け部を備え、前記コンタクト部の各々は、前記コンタクト部が、プラグコネクタの挿入方向に前記ソケットコネクタ内を移動することを防止するように構成される位置決め部を備える端子が提供される。
【０００７】
本発明の例示的実施形態によれば、前記屈曲した本体は、基部と、前記基部の両端に夫々曲げによって形成される２つの延出アームを備え、前記コンタクト部は、前記延出アームの自由端に夫々形成される。
【０００８】
本発明の他の一例示的実施形態によれば、前記屈曲した本体は、略Ｕ字形状を有し、前記基部は、前記挿入方向に垂直な横方向に延在し、前記２つの延出アームは、前記基部の両端から前記挿入方向及び前記横方向に略垂直な縦方向に夫々延出し、前記コンタクト部は、前記延出アームの内側に夫々形成される。
【０００９】
本発明の他の一例示的実施形態によれば、前記位置決め部は、前記挿入方向において前記コンタクト部の上流側から略垂直に外方へ延出する。
【００１０】
本発明の他の一例示的実施形態によれば、前記少なくとも２つの半田付け部は、前記基部と前記延出アームの接続部から夫々前記挿入方向に延出する２つの第１の半田付け部と、前記基部の両端の間に位置し、前記挿入方向に延出する第２の半田付け部を備える。
【００１１】
本発明の他の一例示的実施形態によれば、前記第２の半田付け部は、平らなコンタクト部を備える。
【００１２】
本発明の他の一例示的実施形態によれば、前記第１の半田付け部と前記第２の半田付け部との間に、少なくとも１つの弾性保持部が形成される。
【００１３】
本発明の他の一例示的実施形態によれば、前記端子は、電力伝送用の電力端子として構成される。
【００１４】
本発明の他の一態様によれば、回路基板上への取り付けに適したソケットコネクタであって、外側フレームによって画定され内部にプラグコネクタを受容するように構成される受容部を含むハウジングと、少なくとも１つの端子とを備えるソケットコネクタが提供される。前記少なくとも１つの端子の各々は、前記ハウジングの上部から前記外側フレームに取り付けられる本体と、前記本体の２つの端部に夫々形成され、前記受容部に突出する２つのコンタクト部と、前記本体の前記２つの端部間に形成され、前記ハウジングの底部から延出する少なくとも２つの半田付け部とを備え、前記コンタクト部の各々は、前記コンタクト部が、プラグコネクタの挿入方向に前記ソケットコネクタの前記ハウジング内を移動することを防止するように、前記外側フレームに当接されるように構成される位置決め部を備える。
【００１５】
本発明の一例示的実施形態によれば、前記本体は、前記外側フレームに取り付けられる基部と、前記基部の両端に夫々曲げによって形成される２つの延出アームを備え、前記延出アームの各々は、前記外側フレームの内側に当接し、前記コンタクト部は、前記延出アームの自由端に夫々形成される。
【００１６】
本発明の他の一例示的実施形態によれば、前記外側フレームは、２つの横フレームと、２つの縦フレームを備え、前記本体は、略Ｕ字形状を有し、前記基部は、前記挿入方向に垂直な横方向に延在し、前記横フレームに取り付けられ、前記２つの延出アームは、前記挿入方向及び前記横方向に略垂直な縦方向に前記基部の両端から夫々延出し、前記コンタクト部は、前記延出アームの内側に夫々形成される。
【００１７】
本発明の他の一例示的実施形態によれば、前記位置決め部は、前記挿入方向において前記コンタクト部の上流側から略垂直に外方へ延出する。
【００１８】
本発明の他の一例示的実施形態によれば、前記位置決め部は、前記縦フレームから遠ざかる略円弧状の断面を有するように構成される。
【００１９】
本発明の他の一例示的実施形態によれば、前記少なくとも２つの半田付け部は、前記基部と前記延出アームの接続部から前記挿入方向に夫々延出する２つの第１の半田付け部と、前記基部の両端同士間に位置し、前記挿入方向に延在する１つの第２の半田付け部を備える。
【００２０】
本発明の他の一例示的実施形態によれば、前記第２の半田付け部は、平らなコンタクト部を備え、前記横フレームには凹みが形成され、前記平らなコンタクト部は、前記凹み内に移動可能に構成される。
【００２１】
本発明の他の一例示的実施形態によれば、前記第１の半田付け部と前記第２の半田付け部との間には、少なくとも１つの弾性保持部が形成され、前記横フレームには、内部に前記端子の前記基部を受容するためのスロットが形成され、間隔部は、前記スロット内に形成され、少なくとも１つの保持凹みを備え、前記少なくとも１つの弾性保持部は、夫々、前記保持凹みの夫々にスナップ方式で係合されるのに適する。
【００２２】
本発明の他の一例示的実施形態によれば、前記ソケットコネクタは、前記ハウジングの底部の中央に設けられる突出プラットフォームを更に備え、前記突出プラットフォームの外縁と前記外側フレームの内側の間には間隙が形成される。
【００２３】
本発明の他の一例示的実施形態によれば、前記ソケットコネクタは、前記外側フレームに取り付けられる複数のデータ端子を更に備える。
【００２４】
本発明の他の一例示的実施形態によれば、前記突出プラットフォームの少なくとも１つの側には、複数のばね板が取り付けられる。
【００２５】
本発明の他の一態様によれば、電気コネクタアセンブリであって、上記実施形態のいずれか１つに係るソケットコネクタと、前記ソケットコネクタと嵌合するプラグコネクタを備え、前記プラグコネクタは、前記ソケットコネクタの前記端子と嵌合するのに適する相手端子を備える。
【００２６】
本発明の上記の様々な例示的実施形態に係る端子、ソケットコネクタ、及び電気コネクタアセンブリでは、位置決め部は、コンタクト部が下方に移動することを防止し、ソケットコネクタの端子とプラグコネクタの相手端子との間の良好な電気的接続を保証する。従って、端子は大電流を伝送することができ、基板対基板型のコネクタの電流伝送能力を向上する。
【図面の簡単な説明】
【００２７】
本発明の上述の特徴及びその他の特徴は、その詳細な例示的実施形態において、添付の図面を参照して記述されることによって、より明らかになる。
【図１】本発明の一例示的実施形態に係る電気コネクタアセンブリの例示的分解図である。
【図２】本発明の一例示的実施形態に係るソケットコネクタの例示的斜視図である。
【図３】図２に示すソケットコネクタの縦方向における例示的側面図である。
【図４】図３に示す線Ａ−Ａに沿って切断されたソケットコネクタの例示的断面図であり、端子及び回路基板が示される。
【図５】図３に示す線Ａ−Ａに沿って切断されたソケットコネクタの例示的断面図であり、端子及び回路基板が示されていない。
【図６】本発明の例示的実施形態に係る端子の例示的斜視図である。
【図７】図６に示す端子の別の例示的斜視図である。
【図８】本発明の例示的実施形態に係るプラグコネクタの例示的斜視図である。
【図９】図８に示すプラグコネクタの縦方向における例示的側面図である。
【図１０】本発明の一例示的実施形態に係るプラグコネクタの相手端子の例示的斜視図である。
【図１１】図１０に示す相手端子の他の例示的斜視図である。
【図１２】本発明の一例示的実施形態に係るソケットコネクタの端子及びプラグコネクタの相手端子の例示的斜視図である。
【図１３】本発明の一例示的実施形態に係るソケットコネクタの端子及びプラグコネクタの相手端子の他の例示的斜視図である。
【発明を実施するための形態】
【００２８】
本開示の例示的実施形態は、添付の図面を参照して詳細に以下に記述されるが、同様の参照番号は、同様の部材を指す。しかしながら、本開示は、数多くの様々な形態で実施されることができ、本書において説明された実施形態に限定されるものと解釈されるべきではなく、むしろ、これらの実施形態は、本開示が、十分且つ完全なものになり、当業者に対して本開示の概念を十分に伝えるように提供されるものである。
【００２９】
以下の詳細な記述において、開示される実施形態が十分に理解されるように、説明の目的で、数多くの特定の細部が示される。しかしながら、１つ以上の実施形態が、これらの特定の細部を伴わなくても実施されることができることは明らかである。他の例では、図面を簡略化するために、既知の構造及びデバイスは、概略的に示される。
【００３０】
本発明の一般概念によれば、ソケットコネクタにおける取り付けに適した端子が提供され、この端子は、屈曲した本体と、この屈曲した本体の２つの端部に夫々形成される２つのコンタクト部と、屈曲した本体の２つの端部間に形成され、回路基板に半田付けされるように構成される少なくとも２つの半田付け部とを含み、各コンタクト部は、コンタクト部が、プラグコネクタの挿入方向にソケットコネクタ内を移動することを防止するように構成される位置決め部と備える。
【００３１】
本発明の例示的実施形態では、携帯電話、プリンタ、デジタルカメラ及びビデオカメラ、ＧＰＳ装置、パネルコンピュータ、パーソナルコンピュータ等のような電子デバイスへの適用に適する、図１に示すような電気コネクタアセンブリが開示される。電気コネクタアセンブリは、基板を基板に電気的に接続するために使用される。電気コネクタアセンブリは、２つの回路基板に夫々取り付けられるソケットコネクタ１００及びプラグコネクタ２００を備える。２つの回路基板、例えば、２つの印刷回路基板（ＰＣＢ）は、２つの回路基板同士間で電力及びデータ信号を伝送するように、ソケットコネクタ１００及びプラグコネクタ２００によって電気的に接続される。
【００３２】
図１乃至図７に示すように、本発明の例示的実施形態では、ソケットコネクタ１００は、回路基板３００（図４を参照）上に取り付けられる。ソケットコネクタ１００は、ハウジング４と、ハウジング４に取り付けられる２つの端子１０とを備える。端子１０は、電力信号伝送のための電力端子として使用される。一実施形態では、ハウジング４は、絶縁材料から作製されることができ、外側フレームによって画定され、内部にプラグコネクタ２００を受容するように構成される受容部４１を備える。図２、図６及び図７に示すように、各端子１０は、例えば導電板から作製され、ハウジング４の上部から外側フレーム内に取り付けられる屈曲した本体１と、屈曲した本体１の２つの端部に夫々形成され、受容部４１に突出する２つのコンタクト部２と、屈曲した本体１の２つの端部同士間に形成され、回路基板上に半田付けされるようにハウジング４の底部から延出する少なくとも２つの半田付け部を備える。各コンタクト部２は、コンタクト部２が、プラグコネクタ２００の挿入方向Ｘにソケットコネクタ１００のハウジング４内を移動することを防止するために、外側フレームの上部に当接されるように構成される位置決め部２１を備えるように形成される。
【００３３】
例示的実施形態では、図２、図６及び図７に示すように、ソケットコネクタ１００の屈曲した本体１は、外側フレームに取り付けられる基部１１と、基部１１の両端に夫々曲げによって形成される２つの延出アーム１２とを備える。各延出アーム１２は、外側フレームの内側に当接する。コンタクト部２は、延在アーム１２の自由端上に夫々形成される。一実施形態では、外側フレームは、略矩形状を表し、２つの横フレーム４２と２つの縦フレーム４３とを備える。屈曲した本体１は、略Ｕ字形状を有し、基部１１は、挿入方向Ｘ（図２及び図６を参照）に垂直な横方向Ｙ（図２及び図６を参照）に延在し、横方向Ｙに延在する横フレーム４２に取り付けられる。２つの延出アーム１２は、基部１１の両端から、挿入方向Ｘ及び横方向Ｙに略垂直な縦方向Ｚ（図２及び図６を参照）に夫々延出する。各延出アーム１２は、各縦フレーム４３の内側に当接し、コンタクト部２は、延出アーム１２の自由端上に夫々形成される。コンタクト部２は、延出アーム１２の内側上に夫々形成される。
【００３４】
上述のように、端子１０の屈曲した本体１は、略Ｕ字形状を有し、本発明は、これに限定されない。他の一例示的実施形態では、延出アームは、基部に平行に延出してもよく、各延出アームは、各横フレームの内側に当接してもよく、コンタクト部は、延出アームの自由端上に夫々形成されてもよく、位置決め部は、横フレームの上部に当接するように構成されてもよい。
【００３５】
一実施形態では、位置決め部２１は、コンタクト部２の上流側から挿入方向Ｘに略垂直に外方へ延出する。このようにして、図２及び図３に示すように、ソケットコネクタ１００へのプラグコネクタ２００の挿入時に、プラグコネクタ２００の相手端子２０が、ソケットコネクタ１００の端子１０のコンタクト部２を押圧するので、端子１０のコンタクト部２は、図２に示す状態において横方向外方へ偏り、摩擦力によって挿入方向Ｘ（図２を参照）下方に移動する傾向を有する。しかしながら、位置決め部２１は、外側フレームにおける縦フレーム４３の上部に当接するので、位置決め部２１は、コンタクト部２が下方に移動することを防止し、ソケットコネクタ１００の端子１０とプラグコネクタ２００の相手端子２０との間の良好な電気的接続を保証する。一実施形態では、図３に示すように、位置決め部２１は、縦フレーム４３から遠ざかる略円弧状の断面すなわち凸面状構造を有するように構成される。このようにして、位置決め部２１は、位置決め部２１がプラグコネクタ３００の相手端子２０の押圧下で回復不能な変形を発生すること及び損傷することを防止するように、縦フレーム４３に対してある程度の弾性を有する。
【００３６】
他の一例示的実施形態では、図６及び図７に示すように、端子１０の半田付け部３は、基部１１と延出アーム１２の接続部から挿入方向Ｘに夫々延出する２つの第１の半田付け部３１と、基部１１の両端間に位置し、挿入方向Ｘに延出する第２の半田付け部３２を備える。
【００３７】
一例示的実施形態では、図６及び図７に示すように、第２の半田付け部３２は、大電流を伝送するための平らなコンタクト部３２１を備える。２つの第１の半田付け部３１はピン構造によって構成される。このようにして、図３及び図４に示すように、第１の半田付け部３１は、回路基板３００の穴に挿入されてもよく、第２の半田付け部３２の平らなコンタクト部３２１は、回路基板３００の表面上の平面コンタクト部上に電気的に接続されてもよい。必要に応じて、第１の半田付け部３１及び第２の半田付け部３２の少なくとも一方を、ピン構造又は平らな構造を有するように設計することができる。本発明では、２つのコンタクト部２及び３つの半田付け部は、例えば約５Ａの大電流を伝送することができ、基板対基板コネクタの電流伝送能力を改善する。
【００３８】
図１及び図２に示すように、横フレーム４２には凹み４２１が形成され、第２の半田付け部３２の平らなコンタクト部３２１は、凹み４２１内に移動可能であるように構成される。このように、端子１０のハウジング４への取り付け中に、平らなコンタクト部３２１は凹み４２１内に移動する。
【００３９】
一実施形態に係る端子１０では、図２乃至図７に示すように、第１の半田付け部３１と第２との半田付け部３２の間に、少なくとも１つの突出した弾性保持部３３が形成される。それに対応して、横フレーム４２には、内部に端子１０の基部１１を受容するためのスロット４２２が形成される。スロット４２２には、間隔部４２３が形成され、間隔部４２３には、少なくとも１つの保持凹み４２４が設けられる。端子１０の少なくとも１つの弾性保持部３３は夫々各保持凹み４２４にスナップ方式で係合されるように適応している。その結果、端子１０がハウジング４に取り付けられると、端子１０の各弾性保持部３３は、各保持凹み４２４にスナップ方式で係合されるので、端子１０は、ハウジング４に確実に固定され、プラグコネクタ２００のソケットコネクタ１００に対する挿入中又抜去中に相手端子２０によって動かされることができない。
【００４０】
図２に示すように、ソケットコネクタ１００は、ハウジング４の底部の中央に設けられる突出プラットフォーム６を更に備える。突出プラットフォーム６の外縁と、外側フレームの縦フレーム４３及び横フレーム４２の内側との間には間隙がある。ソケットコネクタ１００は、外側フレームに取り付けられる、データ信号を伝送するための複数のデータ端子５を更に備える。突出プラットフォーム６の少なくとも１つの側には複数のばね板５１が取り付けられる。ばね板５１は、データ端子５を電気的に接続する又は接続しないように構成されることができる。
【００４１】
それに対応して、図１乃至図８に示すように、プラグコネクタ２００は、ハウジング７と、２つの相手端子２０と、ハウジング７に取り付けられる複数の相手データ端子８とを備える。一実施形態では、ハウジング７は、絶縁材料から作製され、外側フレーム７２によって画定される受容部７１を含んでもよい。プラグコネクタ２００がソケットコネクタ１００に係合されると、ソケットコネクタ１００の突出プラットフォーム６は、プラグコネクタ２００の受容部７１に受容され、プラグコネクタ２００の外側フレーム７２は、ソケットコネクタ１００における突出プラットフォーム６と横フレーム及び縦フレーム４２，４３との間の間隙に受容される。同時に、ソケットコネクタ１００の端子１０及びデータ端子５は、プラグコネクタ２００の相手端子２０及び相手データ端子８を電気的に接続する。このようにして、ソケットコネクタ１００が取り付けられる１つの回路基板は、プラグコネクタ２００が取り付けられる他の回路基板に電気的に接続される。
【００４２】
例示的実施形態では、図８乃至図１３に示すように、相手端子２０及び相手データ端子８は、外側フレーム７２に部分的に囲繞される。具体的には、図１０及び図１１に示すように、相手端子２０は、例えば導電板によって作製され、ハウジング７の上部から外側フレーム７２に取り付けられる嵌合本体９と、本体９の２つの端部に夫々形成される２つの相手コンタクト部９１を備える。各相手コンタクト部９１は、位置決め部９３を備えるように形成される。位置決め部９３は、曲げられるように構成され、外側フレーム７２の外側から外側フレーム７２の内側に延出している。一実施形態では、相手コンタクト部９１には、凹み９１１が形成される。端子１０の突出コンタクト部２は、相手端子２０の相手コンタクト部９１と端子１０のコンタクト部２との間の良好な電気的接続を保証するように、凹み９１１に嵌合される。相手端子２０は、更に、ハウジング７に相手端子２０を確実に保持するように、相手端子２０上にばね板９２を備えるように形成される。
【００４３】
プラグコネクタ２００がソケットコネクタ１００に係合されると、ソケットコネクタ１００の突出プラットフォーム６は、プラグコネクタ２００の受容部７１に受容され、プラグコネクタ２００の外側フレーム７１は、ソケットコネクタ１００における突出プラットフォーム６と横フレーム及び縦フレーム４２，４３の間の間隙に受容される。
【００４４】
本発明の一例示的実施形態では、端子１０と相手端子２０は、夫々、１枚の導電性金属板例えば銅板から、切断、穿孔、曲げ、又はその他の適当な加工によって作製されてもよい。
【００４５】
本発明の他の一例示的実施形態によれば、ソケットコネクタ１００のハウジング４への取り付けに適する端子１０が提供される。端子１０は、導電板から作製される屈曲した本体１と、屈曲した本体１の２つの端部に夫々形成される２つのコンタクト部２と、屈曲した本体１の２つの端部間に形成され、回路基板３００に半田付けされるように構成される少なくとも２つの半田付け部３を備える。各コンタクト部２は、コンタクト部２が、プラグコネクタ２００の挿入方向Ｘにソケットコネクタ１００のハウジング４内を移動することを防止するように構成される位置決め部２１を備えるように設けられる。
【００４６】
端子１０の例示的実施形態では、屈曲した本体１は、略Ｕ字形状を有し、基部１１と、２つの延出アーム１２を備える。基部１１は、挿入方向Ｘに垂直な横方向Ｙに延在する。２つの延出アーム１２は、基部１１の両端から夫々挿入方向Ｘ及び横方向Ｙに略垂直な縦方向Ｚに延出する。コンタクト部２は、延出アーム１２の内側上に夫々形成される。本発明の上記の様々な例示的実施形態に係る端子、ソケットコネクタ、および電気コネクタアセンブリでは、位置決め部は、外側フレームにおける縦フレームの上部に当接するので、位置決め部は、コンタクト部が下方に移動することを防止し、ソケットコネクタの端子とプラグコネクタの相手端子との間の良好な電気的接続を保証する。従って、端子は、大電流を伝送することができ、基板対基板型のコネクタの電流伝送能力を向上する。端子は、ハウジングに確実に固定され、プラグコネクタのソケットコネクタに対する挿入中又は抜去中に、相手端子によって移動されることができない。
【００４７】
当業者には当然のことながら、上記実施形態は一例であって、制限的なものではない。例えば、上記実施形態には、当業者によって多くの変更がなされることができ、異なる実施形態に記述される様々な特徴は、構成又は原理において矛盾することなく、互いに自由に組み合わされることができる。
【００４８】
いくつかの例示的実施形態が図示され、記述されたが、当業者には当然のことながら、これらの実施形態では、その範囲が請求項及びその均等物において規定される本開示の原理及び精神から逸脱することなく、様々な変化又は変更がなされることができる。
【００４９】
本書において用いられるように、単数形で記述され、「一つの（ａ）」又は「一つの（ａｎ）」という用語とともに説明される要素は、複数の当該要素又はステップを、排除すると明示的に述べない限りは、排除しないものと理解されるべきである。更に、本発明の「一実施形態」という記述は、記述された特徴も組み込む更に他の実施形態の存在を排除するものとは解釈されないものとする。更に、反対に明示的に述べない限りは、特定の性質を有する一つの要素又は複数の要素を「備える（ｃｏｍｐｒｉｓｉｎｇ）」又は「有する（ｈａｖｉｎｇ）」実施形態は、その性質を有しない更なる当該要素を含んでもよい。
【図１】
2015135816.tif 000003
【図２】
2015135816.tif 000004
【図３】
2015135816.tif 000005
【図４】
2015135816.tif 000006
【図５】
2015135816.tif 000007
【図６】
2015135816.tif 000008
【図７】
2015135816.tif 000009
【図８】
2015135816.tif 000010
【図９】
2015135816.tif 000011
【図１０】
2015135816.tif 000012
【図１１】
2015135816.tif 000013
【図１２】
2015135816.tif 000014
【図１３】
2015135816.tif 000015
【外国語明細書】
2015135816000001.pdf
2015135816000002.pdf
2015135816000003.pdf
2015135816000004.pdf